【事件の表示】
　平成１０年特許願第　７４７５８号「画像形成装置及び画像形成方法」拒絶査定不服審判事件〔平成１１年１０月　５日出願公開、特開平１１−２６８２５７〕について、次のとおり審決する。
【結　論】
　本件審判の請求は、成り立たない。
【理　由】
第１　手続の経緯
　
　本願は、平成１０年３月２４日の出願であって、平成１６年３月２５日付で拒絶査定がなされ、同年４月１６日付で拒絶査定に対する審判請求がなされた。
　
第２　本願発明の認定
　
　本願の請求項１に係る発明（以下、「本願発明」という。）は、平成１５年１２月９日付で補正された、特許請求の範囲の請求項１に記載された次のとおりのものと認める。
　
「記録媒体に画像を記録する作像形成手段と、前記記録媒体を給紙搬送する給紙搬送手段と、原稿画像を読み取る原稿読取り手段とを備えた画像形成装置において、前記作像形成手段は、インク滴を吐出する複数のノズルと、各ノズルからインク滴を吐出させるエネルギーを発生する手段と、各手段を駆動する駆動回路とを有するインクジェットプリンティングエンジンからなり、前記記録媒体の搬送経路を挟んでそれぞれ前記インクジェットプリンティングエンジンを配置すると共に、前記原稿読取り手段で読み込んだ１つの画像情報を表面側及び裏面側の各画像情報に分け、この表面側及び裏面側の各画像情報に基づいて各インクジェットプリンティングエンジンを作動させる手段を備えたことを特徴とする画像形成装置。」
　
第３　引用例
　
　原査定の理由に引用された、特開平１０−８２０号公報（以下、「引用例１」という。）には、次の事項が記載又は図示されている。
　
（ア）「本発明は、複写機等の画像形成装置に関する。」（公報段落【０００１】）
　
（イ）「本複写機は、自動原稿搬送装置１１０を備える画像読み取り部１００と、電子写真画像形成部２００と、インクジェット画像形成部３００とで構成されている。画像読み取り部１００における画像読み取りは、以下のように行われる。画像読み取り部１００の上部に設けられている自動原稿搬送装置１１０にセットされた原稿は、順に原稿台ガラス１０７上の所定位置に自動的にセットされ、露光ランプ１０１により照射される。原稿面からの反射光は、３枚のミラー群１０３ａ〜１０３ｃにより、レンズ１０４に導かれ、ＣＣＤセンサ１０５に結像する。」（公報段落【０００６】）
　
（ウ）「再給紙ローラ３０２は、中間トレイ３０１に収納された一番下の用紙から順に、インクジェットユニット部３０８（以下、ＩＪＵ部３０８と記す）に搬送する。」（公報段落番号【０００８】）
　
（エ）「ＩＪＵ部３０８には、搬送される用紙の上の面を印刷する４つのインクジェットユニット（以下、ＩＪＵと記す）３０４ａ〜３０４ｄと、用紙の下の面を印刷する４つのＩＪＵ３０４ｅ〜３０４ｈがそれぞれ等間隔（最大使用サイズ４２０ｍｍの１／４である１０５ｍｍ間隔）に設けられている。但し、ＩＪＵ３０４ａ〜３０４ｈは、複写機本体に着脱可能な構成になっており、使用者の使用環境に応じて使用個数や、装着箇所を選択することができる。例えば、少なくともＩＪＵ３０４ａ及び３０４ｅを装着することで、一度の搬送で用紙の両面にカラー印刷を行うことができる。また、ＩＪＵ３０４ａ〜３０４ｄを装着した場合、１つのユニットの印刷する面積は、１／４になり、ＩＪＵ３０４ａのみで印刷を行う場合の４倍の速度で印刷を行うことができる。ＩＪＵ部３０８において印刷の施された用紙は、縦搬送路を通過して排紙トレイ２２９に排出される。」（公報段落【０００９】）
　
（オ）「ＤＭＡ（ダイレクトメモリアクセス）コントローラ６１０は、作業用ＲＡＭ６０８内の画像データを適宜ＩＪＵコントローラ６１０に転送する。ＩＪＵコントローラ６１０は、ＩＪＵ部３０８に装着される各ユニットの脱着及び動作状態に応じて、適切な画像データをＩＪＵ３０４ａ〜３０４ｈに転送し、カラー画像形成の指示を行う。」（公報段落【００１１】）
　
（カ）「ＩＪＵ３０４ａの底部には、インク射出用の開口部３１５があり、下方の用紙への記録が行える。図５は、ＩＪＵ３０４ａの内部の構成を示す。インク射出部３２０は、一端がシャフト３１９が貫通して支持されると供に、他端がベルト３１６に接続される。記録ヘッド駆動モータ３１８の軸に取り付けられた歯車３１７の回転に伴い、ベルト３１６が移動してインク射出部３２０を、図中に両矢印で示す何れかの方向に搬送する。インクカートリッジ３２１には、色別にインクが取り付けられ、各色のインク射出部３２０に適宜供給されるようになっている。インク射出部３２０のスリット３２２から射出されたインクは、底面の開口部３１５を通過して、用紙に付着する。」（公報段落【００１２】）
　
（キ）「ハードディスク６１２内の先頭には、各ページにおける属性マップの所在位置、及び、原稿サイズにより決まる属性マップのサイズを示すページアドレステーブル５０５が格納されている。ページアドレステーブル５０５の後には、ページ１の属性マップ５０６とカラー画像のデータ５０７・・・が順に格納されている。・・・ハードディスク内のページアドレステーブル５０５と、当該テーブル５０５によって特定されるページの属性マップから、原稿画像のカラー画像の位置を把握することができ、ＩＪＵ３０４ａ〜３０４ｈへ所望するデータを供給することができる。図７に示す原稿のカラー画像のデータをハードディスク６１２から読み出す場合、等間隔に設けられる４つのＩＪＵ３０４ａ〜３０４ｄには、それぞれ図７に示す領域５０１〜５０４のデータを割り当てる。最初の１ラインを印刷する際、ＩＪＵ３０４ａには、データは供給されない。ＩＪＵ３０４ｂには、５〜６のラインのデータが、ＩＪＵ３０４ｃには、１９〜２０のラインのデータが、ＩＪＵ３０４ｄには、２７〜２８のラインのデータが供給される。」（公報段落【００１４】）
　
（ク）「各色のインク射出部３２０は、副走査方向に１６画素分のヘッドを有し、印刷時には、ライン上に並ぶ画素数×２バイト分のデータを必要とする。」（公報段落【００２０】）
　
　引用例１の記載事項（ウ）及び図面第１図の記載からみて、用紙の給紙搬送を行う給紙搬送手段を備えていることは自明である。
　引用例１の記載事項（エ）の「ＩＪＵ３０４ａ〜３０４ｄを装着した場合、１つのユニットの印刷する面積は、１／４になり、ＩＪＵ３０４ａのみで印刷を行う場合の４倍の速度で印刷を行うことができる。」との記載と、同記載事項（キ）の記載をあわせると、印刷を行う際にひとつのページの画像データを４つに分け、その各画像データで４つのインクジェットユニットをそれぞれ作動させていることが理解される。
　引用例１の記載事項（ク）によれば、複数画素分のヘッドを有していることから、インクジェットユニットとしては複数のノズルを有していることは自明である。また、インクジェットユニットを用いている以上、各ノズルからインクを射出させるエネルギーを発生させる手段を有していること、さらにそのための駆動回路を有していることも自明である。
　
　よって、引用例１の記載（ア）〜（ク）を含む引用例１の全記載及び図示からみて、引用例１には以下の発明が記載されているものと認める（以下、「引用発明１」という。）
　
「用紙に印刷を行うインクジェットユニットと、前記用紙の給紙搬送を行う給紙搬送手段と、原稿を読み取る画像読み取り部を備えた画像形成装置において、インクジェットユニットは、インクを射出する複数のノズルと、各ノズルからインクを射出させるエネルギーを発生する手段と、各手段を駆動する駆動回路を有するインクジェットユニットからなり、搬送される用紙の上の面を印刷する４つのインクジェットユニットと、用紙の下の面を印刷する４つのインクジェットユニットを設け、前記原稿読み取り部で読み取ったひとつのページの画像データを４つのインクジェットユニットの各画像データに分け、各インクジェットユニットを作動させるＩＪＵコントローラを備えた画像形成装置。」
　
第４　周知技術に関する文献
　本願の出願日前に頒布された特開平９−１６６９３８号公報（以下、「周知例１」という。）には、次の事項が記載又は図示されている。
　
（ケ）「また、フレームメモリ１０４の読出し信号メモリＲの符号ＲＰ及びＬＰは、それぞれ読出し画像データが右頁（ＲＰ）及び左頁（ＬＰ）のものである場合を表わしている。更に、各モードの本原稿の頁サイズはＡ４サイズで、本原稿の見開き２頁を走査ユニット２００の１回の走査で連続して読み取ってその読み取り画像データをフレームメモリ１０４内にＡ３サイズ分の読み取りデータとして記憶し、各出力モードに応じてフレームメモリ１０４より画像データを読出してレーザプリンタ５０１により作像して転写紙に記録する。」（公報段落【００２８】）
　
（コ）「図７はＡ４サイズの転写紙に本原稿の読み取り左右頁の各画像をそれぞれ別々に独立頁毎に出力し、同じく本原稿に対して１部の複写を行う１対１複写モードの場合を示す。」（公報段落【００２９】）
　
（サ）「図７は製本原稿の独立頁毎に画像を出力する１対１複写モードの場合を示す。この場合は、読み取りモード時には図６の場合と同様のタイミングで動作し、頁めくり時にはプリンタ５０１で連続して搬送される転写紙に合わせて二つのＰＦＧＡＴＥによってフレームメモリ１０４のデータ読み出し信号メモリＲが操作され、製本原稿の頁毎の画像データが出力される。フレームメモリ１０４のアドレスカウンタがＰＦＧＡＴＥによってマスクされて停止することにより、製本原稿の左頁の画像に連結した右頁の第２の画像のデータが第２のＰＦＧＡＴＥ信号によりプリンタ５０１における転写紙間隔を持って読み出される。」（公報段落【００３３】）
　
（シ）「見開き原稿
（機能）製本原稿の見開き左右頁を転写紙の表裏に複写する。」（公報段落【００８９】）
　
　本願の出願日前に頒布された特開昭５９−１０５７６５号公報（以下、「周知例２」という。）には、次の事項が記載又は図示されている。
　
（ス）「８０、８１は複数の記録要素が図面の垂直方向に並んだフルラインのインクジエツトヘツドである。ヘツド８０によつて、読取部１０で読み取つた原稿ＯＢの面ＯＢ１側の再生画像を記録紙５１の第１面に記録し、ヘツド８１によつて、読取部２０で読み取つた原稿ＯＢの面ＯＢ２の再生画像を記録紙５１の第２面に記録する。」（公報第２頁右下欄第１７行目〜同第３頁左上欄第５行目）
　
（セ）「次に、第５図（Ａ）、（Ｂ）を参照して、原稿ＯＢの見開き頁を同一の記録紙の両面に記録する場合（以下、第２記録モードという）について述べる。操作部１５１上のモードセレクトキー１５１−５の操作により第２記録モードを指定すると、切換爪８６が第２図示の実線位置Ａに切りかわる。また、デジタル化回路２０１の出力がメモリ２０３をバイパスしてバツフアメモリ２０４に入力する様に切換回路２０２を動作する。コピースタートキー１５１−２を押下すると、搬送ローラが回転するとともに、給紙ローラ５２が駆動してカセツト５２からの記録紙５１をレジストローラ５４，５５まで搬送する。レジストローラ５４，５５により、記録紙５２は所定のタイミングで記録位置８７に向けて搬送される。記録紙５２の先端が位置８７に達したことを第１センサＳ１で判断すると、読取部１０の前進を開始させて原稿ＯＢの片頁ＯＢ１の読み取りが開始される。読取部１０からの画像データは、バツフア回路１０４、ドライブ回路１０５を介してインクジエツトヘツド８０に供給され、このヘツド８０によつて記録紙５１の第１面に原稿ＯＢの片頁ＯＢ１の再生画像が記録される。更に、記録紙５１の先端が位置８８に達したことを第２センサＳ２で判断すると、読取部２０により原稿ＯＢの片頁ＯＢ２の読み取りが開始される。ここで、この読取部２０からの画像データは、切換回路２０２によりバツフア回路２０４へ供給され、更にドライブ回路２０５を介してヘツド８１に供給される。従つて、このヘッド８１により位置８３を通過する記録紙５１の第２面に片頁ＯＢ２の再生画像が記録される。」（公報第５頁右下欄第１６行目〜同第６頁右上欄第７行目）
　
第５　対比
　
　そこで、本願発明と引用発明１を対比する。
　
　引用発明１の「用紙」、「印刷」、「原稿を読み取る画像読み取り部」及び「インクを射出」は、本願発明の「記録媒体」、「画像を記録」、「原稿画像を読み取る原稿読み取り手段」及び「インク滴を吐出」にそれぞれ相当し、引用発明１の「インクジェットユニット」は、本願発明の「作像形成手段」に相当し、かつ「作像形成手段」である「インクジェットプリンティングエンジン」にも相当する。
　
　また、引用発明１の「搬送される用紙の上の面を印刷する４つのインクジェットユニットと、用紙の下の面を印刷する４つのインクジェットユニットを設け」た点は、引用例１の図面第１図を参照すれば、用紙の搬送路を挟んでインクジェットユニットを設けていることから、この点は本願発明の「記録媒体の搬送経路を挟んでインクジェットプリンティングエンジンを配置」した構成に包含される。
　さらに、引用発明１の「各インクジェットユニットを作動させるＩＪＵコントローラ」は、本願発明の「各インクジェットエンジンを作動させる手段」に、インクジェットプリンティングエンジン（インクジェットユニット）を作動させるという機能の限度で相当する。
　また、本願発明の「１つの画像情報を表面側及び裏面側の各情報に分け」とは本願明細書の段落【００４８】の「見開き原稿を半分ずつ両面印刷するような場合には、スキャナ６で読取った画像情報を画像情報分割手段１０で片面ずつの画像情報に分けて、それぞれ表面側の画像情報、裏面側の画像情報として、画像情報記憶手段７に格納記憶させる。」との記載が対応している。
　ここで「見開き原稿」からの画像情報を表面側、裏面側の画像上に分けていることから、「１つの画像情報」とは見開き原稿の左右頁合わせた画像情報を意図していることが類推できるものの、本願発明では画像情報を表面側、裏面側の画像情報に分けていることは特定されているが、その原稿が見開き原稿である等、具体的には特定されていない。
　そうすると、「１つの画像情報」とは単にひとまとまりの画像情報であれば足り、引用発明１の「ひとつのページの画像データ」をも包含するものである。
　そして、引用発明１においてはひとつのページの画像データを４つのインクジェットユニットにより作像すべく分けていることから、本願発明と引用発明１は、原稿読み取り手段（原稿読み取り部）で読み込んだ１つの画像情報を複数の各画像情報に分け、この複数の各画像情報に基づいて異なるインクジェットプリンティングエンジンを作動させる限度で両者は共通している。
　
　してみれば両者は、
　
「記録媒体に画像を記録する作像形成手段と、前記記録媒体を給紙搬送する給紙搬送手段と、原稿画像を読み取る原稿読取り手段とを備えた画像形成装置において、前記作像形成手段は、インク滴を吐出する複数のノズルと、各ノズルからインク滴を吐出させるエネルギーを発生する手段と、各手段を駆動する駆動回路とを有するインクジェットプリンティングエンジンからなり、前記記録媒体の搬送経路を挟んでそれぞれ前記インクジェットプリンティングエンジンを配置すると共に、原稿読取り手段で読み込んだ１つの画像情報を複数の各画像情報に分け、各画像情報に基づいて異なるインクジェットプリンティングエンジンを作動させる手段を備えたことを特徴とする画像形成装置。」
　
　である点で一致し、以下の点で相違する。
　
［相違点］
　本願発明では、「１つの画像情報を表面側及び裏面側の各画像情報に分け、この表面側及び裏面側の各画像情報に基づいて各インクジェットプリンティングエンジンを作動させ」ているのに対し、引用発明１ではそのような特定はなされていない点。
　
第６　判断
　
［相違点］について
　周知例１の記載事項（ケ）、（コ）及び（サ）によれば、複写機において本原稿の見開きを一回の操作で連続して読み取ってＡ３サイズ分の読み取り画像データとして記憶し、Ａ４サイズの転写紙にあわせて、製本原稿の頁毎の画像データが出力されていることが理解される。
　これは、Ａ３サイズ分の読み取り画像データがＡ４サイズ二つに分けて出力されることに他ならない。
　さらに、同記載事項（シ）を考慮すれば、製本原稿の見開きで読み取られた左右頁を転写紙の表裏に複写することから、周知例１によれば「１つの画像情報を表面側及び裏面側の各画像情報に分け」ていることが理解される。
　
　次に、周知例２の記載事項（ス）、（セ）によれば、同様に複写機において表面側及び裏面側の各画像情報に基づいて記録用紙の表面と裏面側にインクジェットヘッドにより画像を記録する技術が記載されている。そして、引用発明１においても記録媒体の搬送経路を挟んでそれぞれインクジェットプリンティングエンジンが配置され、記録媒体の表面と裏面側に作像が可能なように構成されている。
　
　そして、これら周知例１，２の周知技術を考慮すると、引用発明１において、１つの画像情報を表面側及び裏面側の各画像情報に分けること、表面側及び裏面側の各画像情報に基づいて各インクジェットプリンティングエンジンを作動させること、いずれも当業者が容易になし得るものである。
　
　また、本願発明の効果も、引用発明１及び周知技術の効果から容易に予測できる範囲内のものである。
　
第７　むすび
　以上のとおり、本願発明は引用発明１及び周知技術に基づいて、当業者が容易に発明することができたものであるから、特許法第２９条第２項の規定により特許を受けることができない。
　そして、本願発明が特許を受けることができない以上、本願のその余の請求項に係る発明について検討するまでもなく、本願は拒絶を免れない。
　
　よって、結論のとおり審決する。